(57)【要約】      （修正有）【課題】レンタル店又は販売店からＣＤやＤＶＤディスクを客が持ち帰るとき又は宅配用のディスク包装媒体として手軽に使用できるバッグであって、持運び中に衝撃を受けた場合もディスクが破損するおそれなく、また熱遮断性と雨水遮断性とを併せ有し、さらに静電気がバッグに帯電しにくく塵埃が付着しにくい宅配又は郵送用に好適な収納用バッグを提供する。【解決手段】一辺に開閉可能な出入り口を有し、略扁平に折り畳むことができるようにされた帯電防止加工された袋体１である。袋全体が熱可塑性樹脂発泡体によるシートの表面にアルミ蒸着膜をコーティングしたシート材もしくはシートの表面に帯電防止層を具備した積層構造のシート材より構成されている。袋本体の開口部内側に、複数のケース入りディスクを小分け収納できるポケット４が重ね合わせて形成されている。袋体の開口部またはポケットの開口部にその何れかの開口部と連続してその開口部を開閉できる蓋５片が設けられている。【選択図】図１
0003129442.tif 000002
【実用新案登録請求の範囲】
【請求項１】
一辺に開閉可能な出入り口を有し、略扁平に折り畳むことができるようにされた帯電防止加工された袋体であって、その袋全体が熱可塑性樹脂発泡体によるシートの表面にアルミ蒸着膜をコーティングしたシート材もしくは上記シートの表面に帯電防止層を具備した積層構造のシート材より構成され、かつ袋本体の開口部内側に、複数のケース入りディスクを小分け収納できるポケットが重ね合わせて形成され、さらに袋体の開口部または上記ポケットの開口部にその何れかの開口部を開閉できる折返し舌片が設けられていることを特徴とするＣＤ／ＤＶＤディスク運搬用バッグ。
【請求項２】
請求項1の袋体の上部に取っ手部が一体に取り付けられていることを特徴とするＣＤ／ＤＶＤディスク運搬用バッグ。
【考案の詳細な説明】
【技術分野】
【０００１】
本考案は、主としてレンタル店又は販売店からＣＤ（コンパクトディスク）やＤＶＤディスクを客が持ち帰る際または宅配あるいは郵送により自宅などに配送する際に使用する収納バッグに関する。
【背景技術】
【０００２】
例えば、ＣＤ（コンパクトディスク）をケースに収納し、持ち運びするものは既に知られており、特許文献１及び２に示されるものが提案されている。
【特許文献１】特開平１１―３２１９５９号公報
【特許文献２】特開２００５−１０４５０９号公報
【０００３】
特許文献１のケースは、図４に示すように二つ折り財布のような構造となっていて、上側のケース面１１と下側のケース面１２を側面１３に設けたファスナ１４により開き、上下各面の内側に取り付けられているＣＤの収納袋１５を露出させてから各袋の中のＣＤを取出すものである。ＣＤの収納袋１５は、ディスクに傷が付かないように樹脂フィルムや不織布シートを用いて一端に取り出し用開口を形成するようにシールした構造であり、ＣＤを１枚ずつまたはＣＤを複数重ねて収納することができるようにしたものとなっていた。
特許文献２のＣＤキャリアバッグは、図５に示すように上面ケース１６と下面ケース１７をファスナ１９で開閉するものにおいて、上面ケース１６の上部に弾力性に富む人形、ぬいぐるみ１８等を設けて、持ち運び中に衝撃を受けたときも上面ケース１６と下面ケース１７内に保持したＣＤが破損することがなく且つケースは装飾的効果を有し、洒落たバッグとして使用することができるというものである。
【０００４】
しかし、文献１のものは持ち運ぶ際に財布のようなケース自体を鞄の中や洋服のポケットなどに入れて持ち運びをしなくてはならない。また文献２のものは上面ケース１６の上部に弾力性に富む人形ぬいぐるみ１８等を設けるので、一般向けでなくマニア向けであり汎用性が低いものであった。
そしていずれのものもレンタル店等で客の持ち帰り用又は販促用に使用した場合、コストが高くつき手軽に使用しがたいという欠点がある。
【考案の開示】
【考案が解決しようとする課題】
【０００５】
そこで本考案は、第1にレンタル店又は販売店からＣＤやＤＶＤディスクを客が持ち帰る際に使用し、または宅配用や郵送用のディスク包装媒体として手軽に使用できる収納バッグであって、持ち運び中に衝撃を受けた場合もディスクが破損するおそれなく、また日射等熱からの遮断性と雨水遮断性とを併せ有し、さらに静電気がバッグに帯電しにくく塵埃が付着しにくい宅配又は郵送用に好適な収納用バッグを提案する。第２には運搬するディスク商品の装飾的効果とイメージアップが容易に図れ、また他の競争店との差別化が容易に図れるディスク収納用バッグを提案する。
【課題を解決するための手段】
【０００６】
上記課題を解決するために、本考案は、一辺に開閉可能な出入り口を有し、略扁平に折り畳むことができるようにされた帯電防止加工された袋体であって、その袋全体が熱可塑性樹脂発泡体によるシートの表面にアルミ蒸着膜をコーティングしたシート材もしくは上記シートの表面に帯電防止層を具備した積層構造のシート材より構成され、かつ袋本体の開口部内側に、複数のケース入りディスクを小分け収納できるポケットが重ね合わせて形成され、さらに袋体の開口部または上記ポケットの開口部にその何れかの開口部を開閉できる折返し舌片が設けられていることを特徴とする収納バッグである。
請求項２の考案は、請求項1の袋体の上部に取っ手部が一体に取り付けられていることを特徴とする収納バッグである。
【考案の効果】
【０００７】
本考案によれば、ＣＤやＤＶＤディスクを客が持ち帰る際に、袋本体の内側に設けたポケットに複数のディスクを小分け収納できるのみならず、持ち運び中に衝撃を受けた場合もディスクが破損するおそれなく、またポケットや袋から飛び出したり、動くこともない。そして太陽の日射熱からの遮断性と雨水遮断性とを併せ有し、さらに静電気がバッグに帯電しにくく塵埃が付着しにくいという優れた収納性を有している。
また本考案の収納バッグは構造簡潔で、安価に製作することが可能である。
【考案を実施するための最良の形態】
【０００８】
次に本考案を図面により詳しく説明する。図１は、本考案の収納バッグを部分的に切り欠いて示す斜視図である。図中１は本体であり、一辺に開閉可能な出入口２を有し、かつ略扁平に折り畳むことができる帯電防止加工された袋体に形成されている。袋本体は全体が熱可塑性樹脂発泡体によるシートの表面にアルミ蒸着膜をコーティングしたシート材より構成され、もしくは上記発泡シートの表面に帯電防止層を具備した積層構造のシート材より構成されている。
【０００９】
袋体の形状は平袋形状であってもよいが、これに限定されるものではなく、側面や底にマチを有していてもよい。
図２は、本考案の収納バッグの部分縦断面図であり、図中７はバッグを携行するときに使用する取っ手部（ハンドル）である。この取っ手部は袋の上辺部に穴を開けるなどして形成できるが、袋とは別の紙ひも、成形ハンドルを取り付けるなどして形成することができる。また、図に示すように、袋の本体１の内側に、ケース入りディスクを小分け収納できるポケット４が重ね合わせて形成され、それぞれに１個のディスクが収納できるようになっている。
さらに上記ポケットの開口部には、その開口部を粘着シールなどで開閉可能にできる折返し蓋片５が設けられている。ポケット４は、袋と同じシート材より形成できるが、それ以外にも織布、不織布、フイルムを使用して形成することができる。
【００１０】
前述したように本考案の袋体は、全体がポリエチレン、ポリプロピレン等のポリオレフィン系樹脂、ポリスチレン、ポリメチルスチレン等のポリスチレン系樹脂、スチレンとアクリル酸エチレンの共重合体やスチレンとブタジェンの共重合体等のスチレン系共重合体樹脂など、各種の熱可塑性樹脂を常法により発泡させた柔軟な熱可塑性樹脂発泡体によるシート体の表面にアルミ蒸着膜をコーテイングされ、シートの表面に帯電防止加工した積層構造のシート材より構成される。なかでも、ポリエチレンの発泡シートに、アルミ蒸着膜がコーテイングされたポリエチレンフイルムを積層したものは、軽量性、柔軟性、熱遮断性、装飾性等の観点から特に好ましい。これらシート材の厚さは０．５ｍｍ〜３．０ｍｍ程度が好適である。
【００１１】
袋体は、上述の積層構造のシート材より構成されていることにより、持ち運び、輸送中に衝撃を受けた場合もディスクが破損するおそれなく、また太陽の日射など高熱からの遮断性と雨水遮断性と装飾的効果とを併せ有し、さらに静電気がバッグに帯電しにくく塵埃が付着しにくいため、ＣＤ（コンパクトディスク）やＤＶＤディスクを、レンタル店又は販売店から客が自宅やオフィスに持ち帰るのに好適である。
なお、この実施例の袋体は、扁平な袋体４の上部に袋を保持するため、袋４と一体にハンドル７や手提げひもを設けている。
【００１２】
図３は本考案の他の実施例を示す。この実施例に示すように、ポケット４の開口部を塞ぐことができるシール付蓋片５が設けられているもの、又は袋本体1の上部に袋の開口部２を塞ぐことができる折返し片６が設けられているものがある。なお図1の実施例に対応する部分は図１と同一の符号を付し、説明を省略する。
【産業上の利用可能性】
【００１３】
上述したように本考案は、ＣＤやＤＶＤディスクの収納バッグとして優れた収納性を有するのみならず、レンタル店等で客の持ち帰り用、郵送用として商品の損傷防止と販促効果を有する。そして本考案の収納バッグは、シートの表面にアルミ蒸着膜をコーティングしたシート材より構成され、略扁平に折り畳むことができるようにされた帯電防止加工された袋体であるから、手軽に装飾的効果、防塵効果を有する体裁がよいショッピングバッグとしてアフターユースできる。
【図面の簡単な説明】
【００１４】
【図１】本考案の収納バッグを部分的に切り欠いて示す斜視図である。
【図２】図1の収納バッグのＡ−Ａ線拡大縦断面図である。
【図３】（ａ）と（ｂ）は本考案の他の実施例を示す部分図である。
【図４】（ａ）と（ｂ）は従来のＣＤケースの説明図である。
【図５】（ａ）と（ｂ）は同じく従来のＣＤキャリアバッグの説明図である。
【符号の説明】
【００１５】
1  袋本体  ２  袋開口部  ３  取っ手部  ４  ポケット
５．６  蓋片  ７  ハンドル
【図１】
0003129442.tif 000003
【図２】
0003129442.tif 000004
【図３】
0003129442.tif 000005
【図４】
0003129442.tif 000006
【図５】
0003129442.tif 000007